(57)【要約】【課題】  大画面表示装置にリモートカーソルを表示しているオペレータの誤操作を防ぎ、操作の効率向上を行うことができる監視制御マンマシン装置を得る。【解決手段】  大画面表示装置１の表示を制御する大画面表示制御装置２０にリモートカーソル管理手段１０を設け、この大画面表示制御装置２０にネットワークを介して接続されたオペレータ入力装置２、３にリモートカーソル操作手段８、９を設け、このリモートカーソル操作手段８、９から送信されるリモートカーソル表示要求により大画面表示装置１にリモートカーソルを表示するようにし、リモートカーソル管理手段１０は、複数のオペレータ入力装置２、３のリモートカーソル操作手段８、９から送信されるリモートカーソル表示要求については、後に表示要求されたオペレータ入力装置２、３のリモートカーソル表示要求を拒絶するようにした。【選択図】図１
2006309635.tif 000002
【特許請求の範囲】
【請求項１】
大画面表示装置の表示を制御する大画面表示制御装置にネットワークを介して接続されたオペレータ入力装置から、上記大画面表示制御装置にリモートカーソル表示要求を送信して、上記大画面表示装置の表示を遠隔からのリモートカーソルにより制御する監視制御マンマシン装置において、上記大画面表示制御装置は、複数のオペレータ入力装置から送信されたリモートカーソル表示要求を調整するリモートカーソル管理手段を備えたことを特徴とする監視制御マンマシン装置。
【請求項２】
上記リモートカーソル管理手段は、第一のオペレータ入力装置からのリモートカーソル表示要求に基づき上記大画面表示装置にリモートカーソルを表示中に、第二のオペレータ入力装置からリモートカーソル表示要求を受信したときは、上記第二のオペレータ入力装置からのリモートカーソル表示要求を拒絶することを特徴とする請求項１記載の監視制御マンマシン装置。
【請求項３】
上記オペレータ入力装置は、リモートカーソル表示要求を上記大画面表示制御装置に送信するリモートカーソル操作手段を備え、上記リモートカーソル操作手段は、上記大画面表示制御装置のリモートカーソル管理手段により上記リモートカーソル表示要求が拒絶されたときは、自個別表示装置に警告メッセージを表示することを特徴とする請求項１記載の監視制御マンマシン装置。
【請求項４】
上記リモートカーソル操作手段は、上記大画面表示制御装置のリモートカーソル管理手段により上記リモートカーソル表示要求が受諾されたときは、自個別表示装置にリモートカーソル表示中を示すメッセージを表示させると共に、他のオペレータ入力装置にリモートカーソル表示不可を示すメッセージ表示要求を送信することを特徴とする請求項３記載の監視制御マンマシン装置。
【請求項５】
上記オペレータ入力装置は、リモートカーソル表示要求を上記大画面表示制御装置に送信するリモートカーソル操作手段を備え、上記リモートカーソル操作手段は、上記大画面表示制御装置のリモートカーソル管理手段により上記リモートカーソル表示要求が拒絶されたときは、リモートカーソル表示中の他のオペレータ入力装置にリモートカーソル表示交代を促すメッセージ表示要求を送信することを特徴とする請求項１記載の監視制御マンマシン装置。
【請求項６】
上記リモートカーソル管理手段は、上記オペレータ入力装置毎に予め設定された優先度にしたがって上記リモートカーソル表示要求の調整を行うことを特徴とする請求項１記載の監視制御マンマシン装置。
【請求項７】
上記リモートカーソル管理手段は、上記オペレータ入力装置を操作するオペレータ毎に予め設定された優先度にしたがって上記リモートカーソル表示要求の調整を行うことを特徴とする請求項１記載の監視制御マンマシン装置。
【請求項８】
上記リモートカーソル管理手段は、上記大画面表示装置に表示中のリモートカーソルが所定時間操作されない場合には、上記リモートカーソルの表示を解除することを特徴とする請求項１記載の監視制御マンマシン装置。
【請求項９】
上記リモートカーソル管理手段は、上記オペレータ入力装置毎に予め設定された色及び形状を有するリモートカーソルを上記大画面表示装置に表示することを特徴とする請求項１記載の監視制御マンマシン装置。
【請求項１０】
上記リモートカーソル管理手段は、リモートカーソルに隣接して上記オペレータ入力装置毎に予め設定されたカーソルシンボルを上記大画面表示装置に表示することを特徴とする請求項１記載の監視制御マンマシン装置。
【請求項１１】
上記リモートカーソル管理手段は、リモートカーソルに隣接してオペレータを特定するカーソルシンボルを上記大画面表示装置に表示することを特徴とする請求項１記載の監視制御マンマシン装置。
【請求項１２】
上記リモートカーソル管理手段は、上記オペレータ入力装置毎に予め設定された操作許可範囲内でリモートカーソルによる上記大画面表示装置の表示操作を行わせることを特徴とする請求項１記載の監視制御マンマシン装置。
【請求項１３】
上記リモートカーソル管理手段は、上記オペレータ入力装置を操作するオペレータ毎に予め設定された操作許可範囲内でリモートカーソルによる上記大画面表示装置の表示操作を行わせることを特徴とする請求項１記載の監視制御マンマシン装置。
【請求項１４】
複数の上記大画面表示装置が上記ネットワークに接続され、上記リモートカーソル管理手段は、上記オペレータ入力装置からの要求に基づき上記大画面表示装置間のリモートカーソルの移動を行うことを特徴とする請求項１記載の監視制御マンマシン装置。
【請求項１５】
複数の上記大画面表示装置が上記ネットワークに接続され、上記リモートカーソル管理手段は、上記オペレータ入力装置からのリモートカーソルが第一の大画面表示装置の周辺部に移動したとき、自動的に上記第一の大画面表示装置に隣接する第二の大画面表示装置に上記リモートカーソルを移動することを特徴とする請求項１記載の監視制御マンマシン装置。
【発明の詳細な説明】
【技術分野】
【０００１】
この発明は、大画面を利用してプラントを監視制御する監視制御マンマシン装置に関するものである。
【背景技術】
【０００２】
特許文献１に示される従来の監視制御マンマシン装置では、プラントなどの状態の表示を大画面上で行う大画面表示装置には、複数の画面が表示され、オペレータからの操作により、移動や消去が可能になっている。この大画面表示装置の画面は、大画面表示手段により表示され、大画面上のウィンドウの位置などはウィンドウ管理手段により管理される。大画面表示手段とウィンドウ管理手段には、オペレータからの入力を受け付けるオペレータ入力装置が接続され、このオペレータ入力装置には、オペレータから大画面上の操作を可能にするリモートカーソル操作手段が設けられている。
このような従来の監視制御マンマシン装置においては、大画面上に表示された画面により隠されている部分を見るために、リモートカーソル操作手段から大画面表示装置上の画面の見たい部分を指定することができる。この場合には、リモートカーソル操作手段を操作し、大画面上の位置を指示し、これを受けて大画面表示手段は、オペレータの指示に対し、大画面表示装置上の画面を移動あるいは消去するなど、対応する操作を行うように命令をウィンドウ管理手段に発行する。ウィンドウ管理手段は、指示された命令や位置などの情報から大画面上のウィンドウを移動する。このようにして、大画面上の点を指定することで、大画面上の画面を一斉に移動することができる。
【０００３】
【特許文献１】特開２００１−１９５１２０号公報（第２〜３頁、図１）
【発明の開示】
【発明が解決しようとする課題】
【０００４】
従来の監視制御マンマシン装置は、以上のように構成されているので、複数のオペレータ入力装置が大画面表示装置に接続されている構成において、複数のオペレータ入力装置から大画面表示装置にリモートカーソル表示要求があった場合に混乱を生じ、オペレータの誤操作を招きやすいという問題があった。
【０００５】
この発明は、上述のような課題を解決するためになされたものであり、大画面表示装置にリモートカーソルを表示しているオペレータの誤操作を防ぎ、操作の効率向上を行うことができる監視制御マンマシン装置を得ることを目的にしている。
【課題を解決するための手段】
【０００６】
この発明に係わる監視制御マンマシン装置においては、大画面表示装置の表示を制御する大画面表示制御装置にネットワークを介して接続されたオペレータ入力装置から、大画面表示制御装置にリモートカーソル表示要求を送信して、大画面表示装置の表示を遠隔からのリモートカーソルにより制御する監視制御マンマシン装置において、大画面表示制御装置は、複数のオペレータ入力装置から送信されたリモートカーソル表示要求を調整するリモートカーソル管理手段を備えたものである。
【発明の効果】
【０００７】
この発明は、以上説明したように、大画面表示装置の表示を制御する大画面表示制御装置にネットワークを介して接続されたオペレータ入力装置から、大画面表示制御装置にリモートカーソル表示要求を送信して、大画面表示装置の表示を遠隔からのリモートカーソルにより制御する監視制御マンマシン装置において、大画面表示制御装置は、複数のオペレータ入力装置から送信されたリモートカーソル表示要求を調整するリモートカーソル管理手段を備えたので、大画面表示装置にリモートカーソルを表示しているオペレータの誤操作を防ぐことができる。
【発明を実施するための最良の形態】
【０００８】
実施の形態１．
以下、この発明の実施の形態を図に基づいて説明する。
図１は、この発明の実施の形態１による監視制御マンマシン装置を示すブロック構成図である。
図１において、大画面表示装置１は、プラントなどの状態の表示を大画面上で行う。画面１ａ、１ｂ、１ｃは、大画面表示装置１上に表示されている画面であり、大画面表示制御装置２０により表示が制御されると共に、オペレータからの操作により、移動や消去が可能である。大画面表示装置１は、大画面表示装置１全体に全体的な監視画面、個々の画面に詳細の画面を表示するような形で、複数の画面を同時に表示することが可能である。
オペレータ入力装置２、３は、プラントなどの状態を表示するためのＣＲＴ装置２ａ、３ａなどの表示装置を持ち、オペレータからの入力を受け付けるためのタッチパネル、マウス２ｂ、３ｂ、キーボード２ｃ、３ｃなどを有している。
【０００９】
大画面表示装置１は、大画面表示制御装置２０により表示が制御され、大画面表示制御装置２０は、大画面表示手段４、ウィンドウ管理手段７、リモートカーソル管理手段１０を有している。大画面表示手段４は、大画面表示装置１やオペレータ入力装置２、３に対し、プラントなどの状態を表示し、大画面上に画面を表示する。ウィンドウ管理手段７は、大画面上のウィンドウの位置などを管理する。リモートカーソル管理手段１０は、大画面表示装置１へのリモートカーソルの表示管理を行う。
オペレータ入力装置２、３は、それぞれ画面表示手段５、６と、リモートカーソル操作手段８、９を有し、ネットワークを介して、大画面表示制御装置２０と接続されている。画面表示手段５、６は、各ＣＲＴ装置２ａ、３ａ上にプラントなどの状態を表示する。リモートカーソル操作手段８、９は、オペレータからの操作入力に基づき大画面表示装置上の画面操作を行うリモートカーソル表示要求を大画面表示制御装置２０に送信する。
図２は、この発明の実施の形態１によるリモートカーソル管理手段の処理を示すフロー図である。
【００１０】
次に、動作について説明する。
画面１ａ、１ｂ、１ｃなど、大画面表示装置１上の画面を操作するために、リモートカーソル操作手段８、９から、リモートカーソル表示要求を大画面表示装置１に向けて送る。このリモートカーソル表示要求は、大画面表示制御装置２０のリモートカーソル管理手段１０によって調整される。
このときのリモートカーソル管理手段１０の動作は、図２に示されるとおりである。
ステップＳＴ１において、（第二のオペレータ入力装置の）リモートカーソル操作手段からのリモートカーソル表示要求を受けると、ステップＳＴ２において、すでに他のオペレータ入力装置（第一のオペレータ入力装置）からのリモートカーソルを表示しているかどうかをチェックし、未表示の場合は、ステップＳＴ３に進み、すでに表示中の場合は、ステップＳＴ５に進む。ステップＳＴ３では、リモートカーソル表示要求を受諾し、ステップＳＴ４に進む。ステップＳＴ４では、リモートカーソル表示要求に従い、リモートカーソルを表示する。またステップＳＴ５では、リモートカーソル表示要求を拒絶する。
【００１１】
実施の形態１によれば、ある１つのオペレータ入力装置のリモートカーソルが表示中には、他のオペレータ入力装置のリモートカーソルの表示を受け付けないので、リモートカーソルが複数表示されることによるオペレータの誤操作を防ぐことができる。
【００１２】
実施の形態２．
実施の形態２は、ある１つのオペレータ入力装置のリモートカーソルを大画面表示装置に表示中に、他のオペレータ入力装置からリモートカーソル表示要求を行った場合、後者のオペレータ入力装置の個別表示装置上にワーニングメッセージを表示するようにしたものである。
図３は、この発明の実施の形態２によるリモートカーソル操作手段の処理を示すフロー図であり、オペレータ入力装置からリモートカーソル表示要求を送信する場合のリモートカーソル操作手段８、９の処理フローを表している。
【００１３】
次に、図３に基づきリモートカーソル操作手段の動作について説明する。
ステップＳＴ３１において、オペレータ入力装置２、３からリモートカーソル表示要求をリモートカーソル管理手段１０に送信し、ステップＳＴ３２に進む。ステップＳＴ３２では、リモートカーソル表示要求がリモートカーソル管理手段１０により受諾されたか拒絶されたかを判断し、受諾された場合にはステップ３３に進み、拒絶された場合にはステップＳＴ３４に進む。
ステップＳＴ３３では、以降のリモートカーソル操作信号をリモートカーソル管理手段１０に送信し、ステップＳＴ３４では、リモートカーソル表示要求が拒絶された旨のワーニングメッセージをオペレータ入力装置２、３のＣＲＴ装置２ａ、３ａの画面に表示する。
【００１４】
実施の形態２によれば、リモートカーソルの表示要求が受諾されなかった場合には、オペレータ入力装置の個別表示装置画面上にメッセージを表示してオペレータに通知することにより、オペレータは、再度リモートカーソル表示要求を送信することなく、迅速に次の行動に移ることができる。
【００１５】
実施の形態３．
実施の形態３は、ある１つのオペレータ入力装置のリモートカーソルを大画面表示装置１に表示中には、このオペレータ入力装置の個別表示装置上にリモートカーソル表示中であることを示す表示を行うと共に、他のオペレータ入力装置の個別表示装置上には、他のオペレータ入力装置からのリモートカーソル表示が不可であることを示す表示を行わせるようにしたものである。
図４は、この発明の実施の形態３によるリモートカーソル操作手段の処理を示すフロー図である。  
【００１６】
次に、リモートカーソル操作手段の動作について図４に基づき説明する。
ステップＳＴ３１〜ステップＳＴ３４は図３におけるものと同一の処理であり、その説明を省略する。
ステップＳＴ３５は、ステップＳＴ３３に次いで実行され、自オペレータ入力装置の表示装置の画面にリモートカーソル表示中である旨をオペレータに対するメッセージやシンボルによって表示し、ステップＳＴ３６に進む。ステップＳＴ３６では、他オペレータ入力装置の画面にリモートカーソル表示不可である旨をオペレータに対するメッセージやシンボルによって表示する要求を、他オペレータ入力装置の画面表示手段に送信して、表示させる。
【００１７】
実施の形態３によれば、リモートカーソルの表示中であるかどうか、また、表示要求が受け付けられる状態であるかどうかがオペレータ入力装置の表示装置画面を見ると判るので、リモートカーソル表示中を失念したことによる誤操作や、無駄なリモートカーソル表示要求を送る操作をなくすことができる。
【００１８】
実施の形態４．
実施の形態４は、ある１つのオペレータ入力装置のリモートカーソルを大画面表示装置１に表示中に、他のオペレータ入力装置からリモートカーソル表示要求を行った場合、すでにリモートカーソルを使用中のオペレータ入力装置の個別表示装置上に、リモートカーソル使用交代を促すメッセージを表示するようにしたものである。
図５は、この発明の実施の形態４によるリモートカーソル操作手段の処理を示すフロー図である。
【００１９】
次に、リモートカーソル操作手段の動作について図５に基づき説明する。
ステップＳＴ３１〜ステップＳＴ３３は図３におけるものと同一の処理であり、その説明を省略する。
ステップＳＴ３２で、リモートカーソル表示要求がリモートカーソル管理手段１０により拒絶された場合にはステップＳＴ３７に進む。ステップＳＴ３７では、リモートカーソル表示中のオペレータ入力装置の画面表示手段に対し、リモートカーソル表示交代を促すメッセージ表示要求を送り、そのメッセージを表示させる。
【００２０】
実施の形態４によれば、他のオペレータ入力装置からリモートカーソル表示中であるが、自オペレータ入力装置からのリモートカーソル表示を実施したい場合に、交代を促すことにより、迅速にリモートカーソルを使用できるようになる効果がある。
【００２１】
実施の形態５．
実施の形態５は、オペレータ入力装置にリモートカーソル使用権の優先度を設け、ある１つのオペレータ入力装置のリモートカーソルを大画面表示装置に表示中に、他のオペレータ入力装置からリモートカーソル表示要求を行った場合、リモートカーソル管理手段で、リモートカーソル使用権の優先度の高いオペレータ入力装置のリモートカーソルを受け付けるようにしたものである。
図６は、この発明の実施の形態５によるリモートカーソル管理手段の処理を示すフロー図である。
【００２２】
次に、リモートカーソル管理手段の動作について図６に基づき説明する。
ステップＳＴ１〜ステップＳＴ５は図２におけるものと同一の処理であり、その説明を省略する。
図６では、ステップＳＴ２とステップＳＴ５の間にステップＳ６を設けたものである。リモートカーソル操作手段８、９からのリモートカーソル表示要求を受けると、ステップＳＴ２において、すでに他のオペレータ入力装置からのリモートカーソルを表示しているかどうかをチェックし、すでに表示中の場合は、ステップＳＴ６に進む。
ステップＳＴ６では、現在リモートカーソルを表示中のオペレータ入力装置の優先度と今回のリモートカーソル表示要求送信元のオペレータ入力装置の優先度を比較し、後者の優先度が高い場合は、ＳＴ７に進み、後者の優先度が低い場合はステップＳＴ５に進む。ステップＳＴ７では、今回のリモートカーソル表示要求を受諾し、リモートカーソルを交代する。
【００２３】
実施の形態５によれば、リモートカーソル利用の優先度をオペレータ入力装置に設け、より優先度の高いオペレータ入力装置からの操作を優先することにより、操作の効率化を図ることができる。
【００２４】
実施の形態６．
実施の形態６は、個々のオペレータに業務に応じてリモートカーソル使用権の優先度を設け、ある一人のオペレータがリモートカーソルを大画面表示装置に表示中に、他のオペレータからリモートカーソル表示要求を行った場合、リモートカーソル使用権の優先度の高いオペレータのリモートカーソルを受け付けるようにしたものである。
図７は、この発明の実施の形態６によるリモートカーソル管理手段の処理を示すフロー図である。
【００２５】
次に、リモートカーソル管理手段の動作について図７に基づき説明する。
図７は、図６のステップＳＴ６をステップＳＴ８に代えたものである。
リモートカーソル管理手段１０は、図７のステップＳＴ２において、すでに他のオペレータ入力装置からのリモートカーソルを表示しているかどうかをチェックし、すでに表示中の場合は、ステップＳＴ８に進む。ステップＳＴ８では、現在リモートカーソルを表示中のオペレータの優先度と、今回のリモートカーソル表示要求送信元のオペレータの優先度を比較し、後者の優先度が高い場合はステップＳＴ７に進み、後者の優先度が低い場合はステップＳＴ５に進む。
【００２６】
実施の形態６によれば、リモートカーソル利用の優先度をオペレータ個々の業務内容に応じて設け、より優先度の高いオペレータの操作を優先することにより、操作の効率化を図ることができる。
【００２７】
実施の形態７．
実施の形態７では、あるオペレータ入力装置からのリモートカーソルを表示中に、リモートカーソルの無操作時間を計測し、無操作時間が予め決められた時間よりも長くなった場合には、リモートカーソルの表示を解除するようにしたものである。
図８は、この発明の実施の形態７によるリモートカーソル管理手段の処理を示すフロー図である。
【００２８】
次に、リモートカーソル管理手段の動作について図８に基づき説明する。
図８のステップＳＴ１〜ＳＴ５は図２におけるものと同一の処理であり、その説明を省略する。
図８では、ステップＳＴ４に次いで、ステップＳＴ９が実行され、このステップＳＴ９では、リモートカーソルを表示してはいるが、オペレータの操作が何もない無操作時間の長さを計測し、予め決められた時間よりも長い時間操作がなかった場合は、ステップＳＴ１０に進み、操作があった場合は、ステップＳＴ１１にて無操作時間の測定をリセットする。ステップＳＴ１０では、リモートカーソルの表示を解除する。
【００２９】
実施の形態７によれば、リモートカーソル利用中のオペレータが、リモートカーソルを表示したまま席を外したり、他作業を行うことにより、無操作状態のままリモートカーソルが放置されるという状況を回避し、他のオペレータがリモートカーソルを使用できるようにする効果がある。
【００３０】
実施の形態８．
実施の形態８では、ある１つのオペレータ入力装置のリモートカーソルが表示中でも他のオペレータ入力装置のリモートカーソルの表示を受け付け、大画面表示装置上に複数のオペレータ入力装置のリモートカーソルを表示する手段を設け、オペレータ入力装置毎にリモートカーソルの色、形状を変えるようにしたものである。
図９は、この発明の実施の形態８によるリモートカーソル管理手段の処理を示すフロー図である。
【００３１】
次に、リモートカーソル管理手段の動作について図９に基づき説明する。
画面１ａ、１ｂ、１ｃなど、大画面表示装置１上の画面を操作するために、リモートカーソル操作手段８、９から、リモートカーソル表示要求を大画面表示装置１に向けて送ることができる。これを受けて、リモートカーソル管理手段１０は、図９のステップＳＴ１において、リモートカーソル操作手段８、９からのリモートカーソル表示要求を受けると、ステップＳＴ１２において、要求元のオペレータ入力装置に応じてマウスカーソルの色、形状を決定し、ステップＳＴ１３に進む。図９では、複数のリモートカーソルを同時に大画面表示装置１に表示することを許すため、ステップＳＴ１３では、ステップＳＴ１２で決めた色、形状のリモートカーソルを大画面表示装置１に追加表示を行う。
【００３２】
実施の形態８によれば、大画面表示装置に複数のリモートカーソルが表示されている場合に、オペレータ入力装置毎に異なる色、形状で表示されるため、オペレータの誤操作を防ぐことができる効果がある。
【００３３】
実施の形態９．
実施の形態９では、ある１つのオペレータ入力装置のリモートカーソルが表示中でも他のオペレータ入力装置のリモートカーソルの表示を受け付け、大画面表示装置上に複数のオペレータ入力装置のリモートカーソルを表示する手段を設け、オペレータ入力装置毎にリモートカーソルに隣接してオペレータ入力装置を特定する番号等を表示するようにしたものである。
図１０は、この発明の実施の形態９によるリモートカーソル管理手段の処理を示すフロー図である。
【００３４】
次に、リモートカーソル管理手段の動作について図１０に基づき説明する。
ステップＳＴ１において、リモートカーソル操作手段８、９からのリモートカーソル表示要求を受けると、ステップＳＴ１４において、要求元のオペレータ入力装置に応じてマウスカーソルに隣接して番号を付加したカーソルシンボルを準備し、ステップＳＴ１３に進む。図１０では、複数のリモートカーソルを同時に大画面表示装置１に表示することを許すため、ステップＳＴ１３では、リモートカーソルを大画面表示装置１に追加表示を行う。
【００３５】
実施の形態９によれば、大画面表示装置に複数のリモートカーソルが表示されている場合に、オペレータ入力装置番号をリモートカーソルに隣接して表示するため、より確実に各リモートカーソルの要求元を特定でき、オペレータの誤操作を防ぐ効果を高めることができる。
【００３６】
実施の形態１０．
実施の形態１０では、ある１つのオペレータ入力装置のリモートカーソルが表示中でも他のオペレータ入力装置のリモートカーソルの表示を受け付け、大画面表示装置上に複数のオペレータ入力装置のリモートカーソルを表示する手段を設け、オペレータ入力装置毎にリモートカーソルに隣接してオペレータ個人を特定する名称、ＩＤ番号等を表示するようにしたものである。
図１１は、この発明の実施の形態１０によるリモートカーソル管理手段の処理を示すフロー図である。
【００３７】
次に、リモートカーソル管理手段の動作について図１１に基づき説明する。
図１１のステップＳＴ１において、リモートカーソル操作手段８、９からのリモートカーソル表示要求を受けると、ステップＳＴ１５において、要求元のオペレータに応じてマウスカーソルに隣接して名称やＩＤ番号を付加したカーソルシンボルを準備し、ステップＳＴ１３に進む。図１１では、複数のリモートカーソルを同時に大画面表示装置１に表示することを許すため、ステップＳＴ１３では、リモートカーソルを大画面表示装置１に追加表示を行う。
【００３８】
実施の形態１０によれば、大画面表示装置に複数のリモートカーソルが表示されている場合に、オペレータ個人を特定する文字列、ＩＤ番号をリモートカーソルに隣接して表示するため、より確実に各リモートカーソルの要求元オペレータを特定でき、オペレータの誤操作を防ぐ効果を高めることができる。
【００３９】
実施の形態１１．
実施の形態１１では、オペレータ入力装置毎にリモートカーソルの移動範囲、リモートカーソルによる大画面表示装置上の操作内容を制限するようにしたものである。
図１２は、この発明の実施の形態１１によるリモートカーソル管理手段の処理を示すフロー図である。
【００４０】
次に、リモートカーソル管理手段の動作について図１２に基づき説明する。
リモートカーソル管理手段１０は、オペレータ入力装置のリモートカーソルをすでに表示中の状態で、図１２のステップＳＴ１６において、オペレータ入力装置からリモートカーソルの移動、操作要求を受け付けると、ステップＳＴ１７に進む。ステップＳＴ１７では、要求された移動範囲、操作内容が、予め定められた当該オペレータ入力装置に許された移動範囲、操作内容（操作許可範囲）であるかどうかを判定し、操作許可範囲である場合は、ステップＳＴ１８に進み、操作許可範囲外である場合はステップＳＴ１９に進む。ステップＳＴ１８では、オペレータ入力装置からの要求に応じてリモートカーソルの移動、操作要求を実施する。ステップＳＴ１９では、要求を拒絶する。
【００４１】
実施の形態１１によれば、大画面表示装置上でリモートカーソルが移動できる範囲、可能な操作内容をオペレータ入力装置毎に予め決めておき、操作許可範囲を逸脱する要求を拒絶することにより、オペレータの誤操作を防ぐ効果がある。
【００４２】
実施の形態１２．
実施の形態１２では、オペレータ個人毎に業務内容に応じてリモートカーソルの移動範囲、リモートカーソルによる大画面表示装置上の操作内容を制限するようにしたものである。
図１３は、この発明の実施の形態１２によるリモートカーソル管理手段の処理を示すフロー図である。
【００４３】
次に、リモートカーソル管理手段の動作について図１３に基づき説明する。
リモートカーソル管理手段１０は、オペレータ入力装置のリモートカーソルをすでに表示中の状態で、図１３のステップＳＴ１６において、オペレータ入力装置からリモートカーソルの移動、操作要求を受け付けると、ステップＳＴ２０に進む。ステップＳＴ２０では、要求された移動範囲、操作内容が、予め定められた当該オペレータに許された移動範囲、操作内容（操作許可範囲）であるかどうかを判定し、操作許可範囲内である場合は、ステップＳＴ１８に進み、操作許可範囲外である場合は、ステップＳＴ１９に進む。ステップＳＴ１８では、オペレータからの要求に応じてリモートカーソルの移動、操作要求を実施する。ステップＳＴ１９では、要求を拒絶する。
【００４４】
実施の形態１２によれば、大画面表示装置上でリモートカーソルが移動できる範囲、可能な操作内容をオペレータ個人毎に予め決めておき、許可範囲を逸脱する要求を拒絶することにより、より詳細にきめ細かくオペレータの誤操作を防ぐ効果がある。
【００４５】
実施の形態１３．
図１４は、この発明の実施の形態１３による監視制御マンマシン装置を示すブロック構成図である。
図１４において、１〜１０、２０、１ａ〜１ｃ、２ａ〜２ｃ、３ａ〜３ｃは図１におけるものと同一のものである。図１４では、大画面表示装置１と大画面表示制御装置２０に加えて大画面表示装置１１及びこの表示を制御する大画面表示制御装置２１が、ネットワークを介して接続されている。大画面表示装置１１は、大画面表示装置１と同様の構成であり、大画面表示制御装置２１は、大画面表示制御装置２０と同様の構成で、大画面表示手段１２と、ウインドウ管理手段１３と、リモートカーソル管理手段１４とを有している。
【００４６】
図１４は、複数の大画面表示装置１、１１を設置した例である。これは、大画面表示装置のサイズを大きくしたいが、大画面表示装置側の制約や、大画面表示手段の制約がある場合に、図１４の大画面表示装置１や大画面表示装置１１に例示するように、複数の大画面表示装置に分割し、隣接して設置する。
実施の形態１３では、大画面表示装置が複数台ある場合に、ある一つの大画面表示装置１にリモートカーソルを表示中に他の大画面表示装置１１にリモートカーソルを移動したい場合、リモートカーソル表示先の大画面表示装置を指定する手段を設け、リモートカーソルを他の大画面表示装置１１に移動できるようにしたものである。
図１５は、この発明の実施の形態１３によるリモートカーソル管理手段の処理を示すフロー図である。
【００４７】
次に、リモートカーソル管理手段の動作について図１５に基づき説明する。
大画面表示制御装置２０、２１のリモートカーソル管理手段１０、１４は、オペレータ入力装置のリモートカーソルをすでに表示中の状態で、図１５のステップＳＴ１６において、オペレータ入力装置からリモートカーソルの移動、操作要求を受け付けると、ステップＳＴ２１に進む。ステップＳＴ２１では、要求が他の大画面表示装置へのリモートカーソルの移動であるかどうかを判定し、リモートカーソル移動要求であった場合はステップＳＴ２２に進み、異なる場合はステップＳＴ２３に進む。
ステップＳＴ２２では、要求に応じて、他の大画面表示装置へのリモートカーソルの移動を実施し、ステップＳＴ２３では自大画面表示装置内でのリモートカーソルの移動、操作を行う。
【００４８】
実施の形態１３によれば、大画面表示装置が複数設置された場合にリモートカーソルを１つの大画面表示装置から他の大画面表示装置移動できるようにすることにより、オペレータの操作性を向上する効果がある。
【００４９】
実施の形態１４．
実施の形態１４では、大画面表示装置が複数台ある場合に、大画面表示装置の周辺部にリモートカーソルを移動させると、隣の大画面表示装置にリモートカーソルを移動させるようにしたものである。
図１６は、この発明の実施の形態１４によるリモートカーソル管理手段の処理を示すフロー図である。
【００５０】
次に、リモートカーソル管理手段の動作について図１６に基づき説明する。
リモートカーソル管理手段１０、１４は、オペレータ入力装置のリモートカーソルをすでに表示中の状態で、図１６のステップＳＴ１６において、オペレータ入力装置からリモートカーソルの移動、操作要求を受け付けると、ステップＳＴ２４に進む。ステップＳＴ２４で、リモートカーソルが大画面表示装置（第一の大画面表示装置）の周辺部に達し、かつ隣接する他の大画面表示装置（第二の大画面表示装置）がある場合は、ステップＳＴ２２に進み、異なる場合はステップＳＴ２３に進む。ステップＳＴ２２では要求に応じて、隣接する他の大画面表示装置へのリモートカーソルの移動を実施し、ステップＳＴ２３では自大画面表示装置内でのリモートカーソルの移動、操作を行う。
【００５１】
実施の形態１４によれば、大画面表示装置が複数設置された場合にリモートカーソルを１つの大画面表示装置の周辺部に移動すると、そのまま隣接する他の大画面表示装置へシームレスに移動できるようにすることにより、オペレータの操作性を向上する効果がある。
【図面の簡単な説明】
【００５２】
【図１】この発明の実施の形態１による監視制御マンマシン装置を示すブロック構成図である。
【図２】この発明の実施の形態１によるリモートカーソル管理手段の処理を示すフロー図である。
【図３】この発明の実施の形態２によるリモートカーソル操作手段の処理を示すフロー図である。
【図４】この発明の実施の形態３によるリモートカーソル操作手段の処理を示すフロー図である。
【図５】この発明の実施の形態４によるリモートカーソル操作手段の処理を示すフロー図である。
【図６】この発明の実施の形態５によるリモートカーソル管理手段の処理を示すフロー図である。
【図７】この発明の実施の形態６によるリモートカーソル管理手段の処理を示すフロー図である。
【図８】この発明の実施の形態７によるリモートカーソル管理手段の処理を示すフロー図である。
【図９】この発明の実施の形態８によるリモートカーソル管理手段の処理を示すフロー図である。
【図１０】この発明の実施の形態９によるリモートカーソル管理手段の処理を示すフロー図である。
【図１１】この発明の実施の形態１０によるリモートカーソル管理手段の処理を示すフロー図である。
【図１２】この発明の実施の形態１１によるリモートカーソル管理手段の処理を示すフロー図である。
【図１３】この発明の実施の形態１２によるリモートカーソル管理手段の処理を示すフロー図である。
【図１４】この発明の実施の形態１３による監視制御マンマシン装置を示すブロック構成図である。
【図１５】この発明の実施の形態１３によるリモートカーソル管理手段の処理を示すフロー図である。
【図１６】この発明の実施の形態１４によるリモートカーソル管理手段の処理を示すフロー図である。
【符号の説明】
【００５３】
１，１１  大画面表示装置、
１ａ，１ｂ，１ｃ  大画面表示装置１上に表示中のウィンドウ画面、
２，３    オペレータ入力装置、２ａ，３ａ  オペレータ入力装置の表示装置、
２ｂ，３ｂ  オペレータ入力装置のマウス、
２ｃ，３ｃ  オペレータ入力装置のキーボード、４，１２  大画面表示手段、
５，６    画面表示手段、７，１３  ウィンドウ管理手段、
８，９  リモートカーソル操作手段、１０，１４  リモートカーソル管理手段、
２０，２１  大画面表示制御装置。
【図１】
2006309635.tif 000003
【図２】
2006309635.tif 000004
【図３】
2006309635.tif 000005
【図４】
2006309635.tif 000006
【図５】
2006309635.tif 000007
【図６】
2006309635.tif 000008
【図７】
2006309635.tif 000009
【図８】
2006309635.tif 000010
【図９】
2006309635.tif 000011
【図１０】
2006309635.tif 000012
【図１１】
2006309635.tif 000013
【図１２】
2006309635.tif 000014
【図１３】
2006309635.tif 000015
【図１４】
2006309635.tif 000016
【図１５】
2006309635.tif 000017
【図１６】
2006309635.tif 000018